(57)【特許請求の範囲】
【請求項１】
円筒状ケーシングの内壁に沿って設けたポンピングチューブと、ロータに支持され且つケーシング内でポンピングチューブを内周側から押圧するローラとを備え、このロータに支持されたローラによる押圧作用とポンピングチューブ自体の復元作用とによってポンプ作用を与えて、ポンピングチューブ内に生コンクリートを吸い込むとともに、吸い込んだ生コンクリートを圧送する絞り出し式コンクリートポンプにおいて、
前記円筒状ケーシングの内壁とポンピングチューブとの間に、弾性を有するパッドを介在し、前記ポンピングチューブの外径を略同一にするとともに、内径を吐出側に向けて徐々に小さくし、前記パッドの肉厚を吐出側に向けて徐々に小さくするとともに、当該パッドの全長に亘って、ポンピングチューブの肉厚の２倍とパッドの肉厚との合計を略同一として、ケーシングとロータの中心とを略一致させたことを特徴とする絞り出し式コンクリートポンプ。
【発明の詳細な説明】
【０００１】
【発明の属する技術分野】
本発明は絞り出し式コンクリートポンプ、特に吐出側に向かって肉厚を徐々に厚くしたポンピングチューブを使用した絞り出し式コンクリートポンプに関するものである。
【０００２】
【従来の技術】
一般に絞り出し式コンクリートポンプは、円筒状のケーシング内に弾性を有するポンピングチューブを横Ｕ字状に装着し、ロータに支持されたローラをポンピングチューブに沿って押圧しながら転動させることにより、ローラによる押圧作用とポンピングチューブ自体の復元作用とによって、ポンピングチューブにポンプ作用を与えて、ポンピングチューブ内に吸い込まれた生コンクリートを圧送するようになっている。
【０００３】
ところが、ポンピングチューブの吐出側にてローラがポンピングチューブの押圧を解除し始め、ポンピングチューブ内が開き始めると、ローラの前後の差圧（ローラの後方に対して前方の方が高所打設や長距離打設のため高圧になっている）により、生コンクリートが逆流する。このため、ローラがポンピングチューブの押圧を解除する位置において、ポンピングチューブの内面が特に激しく摩耗し、ポンピングチューブの寿命を短くする原因になっていた。
【０００４】
そこで、前記生コンクリートの逆流を少しでも少なくしてポンピングチューブの寿命を長くするために、特開昭５９―３１８９号公報に開示されているように、ポンピングチューブを吸い込み側の開口面積に対して吐出側の開口面積が小さくなるように略全長に亘ってテーパ状にすることが考えられている。このテーパ状のポンピングチューブによれば、上下のローラにて一時的に閉じこめられたポンピングチューブ内の密閉室が、ローラのわずかな移動によりポンピングチューブ内の前後の面積差にて徐々に加圧されるので、ポンピングチューブの押圧が解除されても生コンクリートの逆流を少なくすることができる。
【０００５】
【発明が解決しようとする課題】
ところが、前記構造ではローラによるポンピングチューブの押圧開始位置と押圧解除位置との肉厚が著しく異なることから、ケーシングの中心位置に対してロータの中心位置を偏心させる必要がある。そのため、大きな部品であるケーシングの中心位置から幾分偏心した位置にロータの支持部材を設けなければならず、ケーシングの製作が複雑になるとともに特別な治具が必要となる。
また、テーパ状のポンピングチューブを使用するケーシングと、全長に亘って肉厚及び内外径が等しいストレート状のポンピングチューブを使用するケーシングとでは、ケーシングに対するロータの取付位置が異なることから、両ケーシングを兼用することができない。このため、使用するポンピングチューブの種類に応じて専用のケーシングを製作しなければならず、部品点数が増加するとともに、製作がより一層煩雑になる。
そこで本発明は、ストレート状のポンピングチューブに使用する製作が容易なケーシングを、テーパ状のポンピングチューブにそのまま適用可能な絞り出し式コンクリートポンプを提供することを目的とする。
【０００６】
【課題を解決するための手段】
前記目的を達成するための本発明の絞り出し式コンクリートポンプは、円筒状ケーシングの内壁に沿って設けたポンピングチューブと、ロータに支持され且つケーシング内でポンピングチューブを内周側から押圧するローラとを備え、このローラによる押圧作用とポンピングチューブ自体の復元作用とによってポンプ作用を与えて、ポンピングチューブ内に生コンクリートを吸い込むとともに、吸い込んだ生コンクリートを圧送する絞り出し式コンクリートポンプにおいて、前記円筒状ケーシングの内壁とポンピングチューブとの間に、弾性を有するパッドを介在し、前記ポンピングチューブの外径を略同一にするとともに、内径を吐出側に向けて徐々に小さくし、前記パッドの肉厚を吐出側に向けて徐々に小さくするとともに、当該パッドの全長に亘って、ポンピングチューブの肉厚の２倍とパッドの肉厚との合計を略同一として、ケーシングとロータの中心とを略一致させたことを特徴とする。前記の構成の絞り出し式コンクリートポンプによれば、テーパ状のポンピングチューブを用いているにもかかわらず、ケーシングの中心位置にロータを配置することができる。
【０００７】
【発明の実施の形態】
以下、本発明の実施の形態を図面に基づいて説明する。
図1は本発明の絞り出し式コンクリートポンプの全体を示す断面図であり、図2はポンピングチューブの断面図である。
生コンクリートを圧送する絞り出し式コンクリートポンプ１は、円筒状のケーシング２に弾性を有するポンピングチューブ３を、図１のように横Ｕ字状に挿入し、ポンピングチューブ３の両端をケーシング２の上下の開口部４から突出させてある。また、ケーシング２内の中央にはロータ６を設けてあり、このロータ６の中心部は、回転軸５及び支持部材２０、２１を介してケーシング２に取り付てあり（図４参照）、前記回転軸５は、図示しない油圧モータに連結してある。また、前記ロータ６の端部には位相を１８０度ずらして２個のローラ７が軸支されている。
【０００８】
前記ローラ７はケーシング２内でポンピングチューブ３を内周側から押圧するものであり、ロータ６が時計回り方向（図１矢印Ｚ方向）に回転すると、ローラ７が図１において時計の６時の位置からポンピングチューブ３の押圧を開始し、そのままポンピングチューブ３に沿って転動し、時計の１２時の位置で押圧を解除して、ポンピングチューブ３から離れていく。これにより、ポンピングチューブ３の下方端からポンピングチューブ３自体の復元力により吸い込まれた生コンクリートが、ポンピングチューブ３の上方端から圧送される。ロータ６には、左右一対のガイドローラ８が取り付けられており、このガイドローラ２５によってポンピングチューブ３が蛇行するのを規制するようになっている。また、ロータ６には規制部材９が軸支されており、この規制部材９によってポンピングチューブ３がローラ７の押圧転動によりケーシング２から離れようとするのを規制するようになっている。
【０００９】
前記ポンピングチューブ３は、図２に示すように、外径Ｄが全長にわたって略同一で、内径が吸い込み側から吐出側に向かって徐々に小さいテーパ状になっている。すなわち、吸い込み側の内径Ｄ１２の開口面積に対して吐出側の内径Ｄ２２の開口面積が小さくなっている。
また、ローラ７の押圧解除位置では、ポンピングチューブ３が幾分圧縮された状態になっているため、ローラ７が時計の１２時の位置から時計回り方向に幾分移動しても、ポンピングチューブ３の閉鎖状態が保持されるようになっている。このため、２個のローラ７により閉じこめられたポンピングチューブ３の密閉室１０の圧力が、ローラ７のわずかな時計回り方向の移動にて加圧される。
【００１０】
前記ケーシング２の内壁とポンピングチューブ３との間には弾性を有するパッド１１を設けてあり、前記パッド１１の左右の鍔部１２が止め部材１３にてケーシング２に固定されている（図５及び図６参照）。前記パッド１１は、ポンピングチューブ３がローラ７にて押圧転動されることにより幾分前後移動する際に、ケーシング２との摩擦抵抗を小さくするとともに、ポンピングチューブ３内にて生コンクリートに含まれる小石を挟んだ際のポンピングチューブ３の変形を吸収する役目を果たす。
【００１１】
前記パッド１１は、吸い込み側から吐出側に向けて肉厚を徐々に薄くしてあり、その全長に亘って、ポンピングチューブ３の外径Ｄとパッド１１の肉厚との合計Ｄ１１、Ｄ２１からポンピングチューブ３の内径Ｄ１２、Ｄ２２を減算した数値、すなわちポンピングチューブ３の肉厚の２倍とパッド１１の肉厚の合計Ｄ１、Ｄ２（図３参照）が略同等となるように設定してある。これによりローラ７とケーシング２内壁との間隔を略同一にすることができ、ロータ６の回転軸５をケーシング２の中心に一致させることができる。
【００１２】
次に前記の構成のコンクリートポンプ１の作用について説明する。まず図１の状態から油圧モータによりロータ６を矢印Ｚ方向に回転させると、下方のローラ７はポンピングチューブ３を押圧しながら上方に転動し、上方のローラ７はポンピングチューブ３から離れて下方に移動する。これにより、下方のローラ７より後方のポンピングチューブ３は、ポンピングチューブ３自体の復元力にて元の円形に戻ることにより生コンクリートを吸い込み、下方のローラ７より前方のポンピングチューブ３内の生コンクリートは前方に圧送される。その際、ポンピングチューブ３の内径がテーパ状になっているので、ローラ７が図１の位置から少し矢印Ｚ方向に回転すると、一対のローラ７間に構成されるポンピングチューブ３の密閉室１０が幾分加圧された状態となり、その状態でローラ７の押圧解除にてポンピングチューブ３が開くと、密閉室１０の圧力とその前方の圧力との差が小さくなる。このため、生コンクリートの逆流を少なくしてポンピングチューブ３内面の磨耗を少なくすることができる。
【００１３】
また、上方のローラ７が下方に移動してポンピングチューブ３の吸い込み側を押圧したときに、生コンクリートに含まれている小石をポンピングチューブ３内で挟んでも、その変形をポンピングチューブ３のみでは肉厚が薄いため吸収できないが、パッド１１の肉厚により十分吸収することができ、ポンピングチューブ３内面の損傷を防止することができる。
さらに、ロータ６の中心をケーシング３の中心に一致させているので、ケーシング２を製作する際に、ケーシング３の中心にロータ６の支持部材２０、２１を配置すればよく、当該ケーシング２の製作が非常に容易となる。また、肉厚及び内外径がストレート状のポンピングチューブを使用するケーシングをそのまま使用することができる。
【００１４】
【発明の効果】
以上のように本発明は、ロータの中心をケーシングの中心に一致させることができるので、ケーシングの製作を容易にすることができる。また、テーパ状のポンピングチューブを使用するものであるにもかかわらず、肉厚及び内外径がストレート状のポンピングチューブを使用するケーシングをそのまま使用することができるので、部品点数を少なくすることができる。
さらに、ローラによるポンピングチューブの押圧開始位置では、ポンピングチューブの肉厚が薄くなっているが、当該押圧開始位置のパッドの肉厚が厚くなっているので、ポンピングチューブの押圧開始位置で生コンクリートに含まれている小石を挟んでも、小石によるポンピングチューブの変形をパッドにて十分吸収することができ、ポンピングチューブ内面の損傷を防止することができる。
【図面の簡単な説明】
【図１】本発明の絞り出し式コンクリートポンプの全体断面図である。
【図２】ポンピングチューブの全体断面図である。
【図３】ポンピングチューブの要部拡大図である。
【図４】図１のＡ−Ｏ−Ａ線断面図である。
【図５】図３のＶ−Ｖ線断面図である。
【図６】図３のVI−VI線断面図である。
【符号の説明】
１  絞り出し式コンクリートポンプ
２  ケーシング
３  ポンピングチューブ
６  ロータ
７  ローラ
１１  パッド
【図１】
0003953236.tif 000002
【図２】
0003953236.tif 000003
【図３】
0003953236.tif 000004
【図４】
0003953236.tif 000005
【図５】
0003953236.tif 000006
【図６】
0003953236.tif 000007